(57)【特許請求の範囲】
【請求項１】
複数の下階建物ユニットが隣接配置され、各下階建物ユニットの上部にそれぞれ上階建物ユニットが複数隣接状態で載置されると共に、各上階建物ユニットの一部が下階建物ユニットに対し外方へ張出してオーバーハング部を形成するユニット建物であって、
下階建物ユニットの隣接する上縁部間、および、上階建物ユニットの隣接する下縁部間の少なくとも一方から外方へ延出する延出梁が設けられ、
該延出梁の延出部によって上階建物ユニットのオーバーハング部を支持すると共に、
下階建物ユニットがその上縁部に上梁を有すると共に、上階建物ユニットがその下縁部に下梁を有しており、
前記延出梁が、下階建物ユニットの上梁から上階建物ユニットの下梁まで達する高さ寸法を有し、
下階建物ユニットの隣接する上梁間、および、上階建物ユニットの隣接する下梁間にて、前記延出梁が挟持され、
更に、下階建物ユニットの隣接しない側の上縁部から前記延出梁とほぼ平行な片持梁が突設され、該片持梁と前記延出梁とによって上階建物ユニットのオーバーハング部を支持し、
且つ、複数の前記延出梁の外方端間、または、前記延出梁と前記片持梁の外方端間に渡し梁が架設され、
更に、前記延出梁の根本部が下階建物ユニットの隣接する上梁間および上階建物ユニットの隣接する下梁間にて同時に挟持可能な垂直面状に構成されているのに対して、延出梁の延出部が、上階建物ユニットのオーバーハング部の相隣接する底面を同時に支持し得るよう水平面状に構成されたことを特徴とするユニット建物。
【発明の詳細な説明】
【０００１】
【発明の属する技術分野】
この発明は、ユニット建物に関するものである。
【０００２】
【従来の技術】
予め工場で製造したほぼ箱状の建物ユニットを建築現場へ複数輸送し、建築現場で複数の建物ユニットを組み立てることにより、短期間でユニット建物を構築するようにしたユニット工法が従来より行われている。
【０００３】
このようなユニット工法では、下階の建物ユニット（下階ユニット）の上に上階の建物ユニット（上階ユニット）をオーバーハング（張出）させて設置することがある。
【０００４】
例えば、特公平８−１４１５１号公報（特許第２１１００５８号）のものでは、下階ユニットの上に上階ユニットをオーバーハングさせると共に、下階ユニットのオーバーハング側の２本の柱の上端部からオーバーハング方向へ張出部材を設けて、この張出部材で上階ユニットのオーバーハング部を支持させるようにしている。
【０００５】
【発明が解決しようとする課題】
しかしながら、このような上記公報のユニット建物では、下階ユニットに設けられた張出部材は、対応する上階ユニットのオーバーハング部のみを個別に支持する構造となっていたため、下階ユニットと上階ユニットとをそれぞれ隣接配置した場合に、隣接するオーバーハング部の支持構造の間に何らの連携関係も存在しないこととなるので、ユニット建物に水平力が作用した際に、隣接するオーバーハング部の先端部分の間にズレ変位が生じ易いなどの問題があった。
【０００６】
そこで、本発明の目的は、上記の問題点を解消し、隣接するオーバーハング部間を一体的に支持することのできるユニット建物を提供することにある。
【０００７】
【課題を解決するための手段】
上記課題を解決するために、請求項１に記載された発明では、複数の下階建物ユニットが隣接配置され、各下階建物ユニットの上部にそれぞれ上階建物ユニットが複数隣接状態で載置されると共に、各上階建物ユニットの一部が下階建物ユニットに対し外方へ張出してオーバーハング部を形成するユニット建物であって、下階建物ユニットの隣接する上縁部間、および、上階建物ユニットの隣接する下縁部間の少なくとも一方から外方へ延出する延出梁が設けられ、該延出梁の延出部によって上階建物ユニットのオーバーハング部を支持したユニット建物を特徴としている。
【０００８】
このように構成された請求項１にかかる発明によれば、下階建物ユニットの隣接する上縁部間、および、上階建物ユニットの隣接する下縁部間の少なくとも一方から外方へ延出する延出梁の延出部によって上階建物ユニットのオーバーハング部を支持することにより、隣接するオーバーハング部間を一体的に支持することができる。これにより、ユニット建物に水平力が作用した際に、隣接するオーバーハング部の先端部分の間にズレ変位が生じるのを防止することができる。
【０００９】
また、請求項１に記載された発明では、下階建物ユニットがその上縁部に上梁を有すると共に、上階建物ユニットがその下縁部に下梁を有しており、前記延出梁が、下階建物ユニットの上梁から上階建物ユニットの下梁まで達する高さ寸法を有し、下階建物ユニットの隣接する上梁間、および、上階建物ユニットの隣接する下梁間にて、前記延出梁が挟持されたユニット建物を特徴としている。
【００１０】
このように構成された請求項１にかかる発明によれば、延出梁が、下階建物ユニットの隣接する上梁間、および、上階建物ユニットの隣接する下梁間にて挟持される構造としたことにより、隣接する下階建物ユニットの上面および隣接する上階建物ユニットの下面を一体化し、それぞれの面剛性を上げることができる。これにより、振動特性や重量床衝撃音特性を向上することができる。
【００１３】
更に、請求項１に記載された発明では、下階建物ユニットの隣接しない側の上縁部から前記延出梁とほぼ平行な片持梁が突設され、該片持梁と前記延出梁とによって上階建物ユニットのオーバーハング部を支持したユニット建物を特徴としている。
【００１４】
このように構成された請求項１にかかる発明によれば、下階建物ユニットの隣接しない側の上縁部から突設された前記延出梁とほぼ平行な片持梁によって、前記延出梁による上階建物ユニットのオーバーハング部に対する支持を補助することができる。
【００１５】
そして、請求項１に記載された発明では、複数の前記延出梁の外方端間、または、前記延出梁と前記片持梁の外方端間に渡し梁が架設されたユニット建物を特徴としている。更に、前記延出梁の根本部が下階建物ユニットの隣接する上梁間および上階建物ユニットの隣接する下梁間にて同時に挟持可能な垂直面状に構成されているのに対して、延出梁の延
出部が、上階建物ユニットのオーバーハング部の相隣接する底面を同時に支持し得るよう水平面状に構成されたユニット建物を特徴としている。
【００１６】
このように構成された請求項１にかかる発明によれば、複数の前記延出梁の外方端間、または、前記延出梁と前記片持梁の外方端間に渡し梁を架設することにより、各オーバーハング部からの垂直荷重を渡し梁を介して延出梁および片持梁へ有効に伝達することができる。更に、前記延出梁の根本部が垂直面状に構成されているのに対して、延出梁の延出部が水平面状に構成されることにより、垂直面状の根本部が、下階建物ユニットの隣接する上梁間および上階建物ユニットの隣接する下梁間にて同時に挟持させることができると共に、水平面状の延出部により、上階建物ユニットのオーバーハング部の相隣接する底面を同時に支持することができる。
【００１７】
【発明の実施の形態１】
以下、本発明の具体的な実施の形態１について、図示例と共に説明する。
【００１８】
図１〜図１２は、この発明の実施の形態１を示すものである。
【００１９】
まず、構成を説明すると、図１に示すように、基礎上に複数の下階建物ユニット１Ａ，１Ｂが隣接配置されている。そして、各下階建物ユニット１Ａ，１Ｂの上部にそれぞれ上階建物ユニット２Ａ，２Ｂが複数隣接状態で載置されている。そして、各上階建物ユニット２Ａ，２Ｂの上部にそれぞれ最上階建物ユニット３Ａ，３Ｂが複数隣接状態で載置されている。以上により、ユニット建物４が構成されている。
【００２０】
このユニット建物４では、各上階建物ユニット２Ａ，２Ｂの一部が下階建物ユニット１Ａ，１Ｂに対し外方へ張出してオーバーハング部５を形成している。ここで、各建物ユニットは、４本の柱の上下端間を梁で連結してなるボックスラーメン構造の鉄骨枠に面パネルを取付けた鉄骨系ユニットであっても良いし、面パネルを箱状に組合せてなる木質系ユニットであっても良い。また、各建物ユニットは、居室ユニットに限らず、バルコニーユニットなどであっても良い。
【００２１】
この実施の形態１では、図１〜図４に示すように、下階建物ユニット１Ａ，１Ｂの相隣接する上縁部間、および、上階建物ユニット２Ａ，２Ｂの相隣接する下縁部間の少なくとも一方から外方へ延出する延出梁６が設けられ、この延出梁６の延出部６ａによって上階建物ユニット２Ａ，２Ｂのオーバーハング部５を同時に支持するようにしている。
【００２２】
例えば、下階建物ユニット１Ａ，１Ｂがその上縁部に上梁７（天井梁）を有すると共に、上階建物ユニット２Ａ，２Ｂがその下縁部に下梁８（床梁）を有している鉄骨系ユニットなどの場合において、下階建物ユニット１Ａ，１Ｂの上梁７から上階建物ユニット２Ａ，２Ｂの下梁８まで達する高さ寸法ｈを有する延出梁６が設けられ、下階建物ユニット１Ａ，１Ｂの隣接する上梁７間、および、上階建物ユニット２Ａ，２Ｂの隣接する下梁８間にて、延出梁６が挟持されるようにしている。
【００２３】
そして、下階建物ユニット１Ａ，１Ｂの隣接しない側の上縁部の柱９から延出梁６とほぼ平行な片持梁１０が突設され、片持梁１０と延出梁６とによって上階建物ユニット２Ａ，２Ｂのオーバーハング部５を支持するようにしている。
【００２４】
更に、複数の延出梁６の外方端間、または、延出梁６と片持梁１０の外方端間に渡し梁１１が架設されている。
【００２５】
ここで、上記延出梁６は高力ボルト１２などを用いて上梁７および下梁８に締結する。延出梁６の取付けは、現地施工とする。
【００２６】
延出梁６の根本部６ｂは、図５（ａ）に示すように、下階建物ユニット１Ａ，１Ｂの対応する上梁７の全域に亘る長さとしても良いし、図５（ｂ）に示すように、下階建物ユニット１Ａ，１Ｂの対応する上梁７の一部分に及ぶ長さとしても良い。要するに、延出梁６の根本部６ｂの長さは、入力される応力に応じて設定するようにする。
【００２７】
また、延出梁６の外方端は、図６（ａ）に示すように垂直端面としても良いが、配管や配線などのスペースを確保するため、図６（ｂ）に示すような切欠１３やとしても、図６（ａ）に示すような抜き孔１４を形成しても良い。
【００２８】
更に、延出梁６は、図７（ａ）（ｂ）に示すように、フランジのないものとしても良いが、図４（ａ）（ｂ）に示すように、延出部６ａの下部のみにフランジ１５を設けたり、図８（ａ）（ｂ）に示すように、上部および下部の両方に全域に亘ってフランジ１５を設けたりするなどしても良い。要するに、必要とする曲げ圧縮応力に応じて、任意の部分にフランジ１５を設定するようにする。
【００２９】
上記片持梁１０は、一体物で構成しても、取付部材１６と延長アーム１７とに分割構成しても良い。この場合、取付部材１６は、下階建物ユニット１Ａ，１Ｂに対し、予め工場で取付けておくようにしても良い。この場合には、延長アーム１７に対し、取付部材１６を高力ボルト１２などを用いて現地で取付けるようにする。
【００３０】
取付部材１６の柱９上端への取付けは、図９（ａ）に示すように直接溶接固定しても良いし、図９（ｂ）に示すように取付部材１６の端面にエンドプレート１８を取付け、エンドプレート１８を介して溶接固定したりボルト固定したりしても良いし、図９（ｃ）に示すように柱９上端にガゼットプレート１９を取付け、ガゼットプレート１９を介してボルト固定したりしても良い。
【００３１】
また、必要に応じて、図１、図２に示すように、下階建物ユニット１Ａ，１Ｂ、上階建物ユニット２Ａ，２Ｂ、最上階建物ユニット３Ａ，３Ｂの天井面や床面に対し、水平ブレス２０を設けても良い。この水平ブレス２０は、予め工場で取付けておくようにする。また、延出梁６と片持梁１０との間に水平ブレス２１を設けても良い。この水平ブレス２１は、現地施工とする。
【００３２】
次に、この実施の形態１の作用について説明する。
【００３３】
下階建物ユニット１Ａ，１Ｂの隣接する上縁部間、および、上階建物ユニット２Ａ，２Ｂの隣接する下縁部間の少なくとも一方から外方へ延出する延出梁６の延出部６ａによって上階建物ユニット２Ａ，２Ｂのオーバーハング部５を同時に支持することにより、隣接するオーバーハング部５間を一体的に支持することができる。これにより、ユニット建物４に水平力が作用した際に、隣接するオーバーハング部５の先端部分の間にズレ変位が生じるのを防止することができる。
【００３４】
特に、延出梁６が、下階建物ユニット１Ａ，１Ｂの隣接する上梁７間、および、上階建物ユニット２Ａ，２Ｂの隣接する下梁８間にて挟持される構造としたことにより、隣接する下階建物ユニット１Ａ，１Ｂの上面および隣接する上階建物ユニット２Ａ，２Ｂの下面を一体化し、それぞれの面剛性を上げることができる。これにより、振動特性や重量床衝撃音特性を一層向上することができる。
【００３５】
また、下階建物ユニット１Ａ，１Ｂの隣接しない側の上縁部から突設された延出梁６とほぼ平行な片持梁１０によって、延出梁６による上階建物ユニット２Ａ，２Ｂのオーバーハング部５に対する支持を補助することができる。
【００３６】
そして、複数の延出梁６の外方端間、または、延出梁６と片持梁１０の外方端間に渡し梁１１を架設することにより、各オーバーハング部５からの垂直荷重を渡し梁１１を介して延出梁６および片持梁１０へ有効に伝達することができる。
【００３７】
なお、変形例として、下階建物ユニット１Ａ，１Ｂ、および、上階建物ユニット２Ａ，２Ｂは、図１０（ａ）に示すように短辺方向に隣接配置されても、図１０（ｂ）に示すように長辺方向に隣接配置されても良い。
【００３８】
また、図１１（ａ）に示すように２ユニット隣接としても、図１１（ｂ）に示すように３ユニット隣接としても（下階建物ユニット１Ｃ、上階建物ユニット２Ｃ）、図１１（ｃ）に示すように４ユニット以上隣接としても良い（下階建物ユニット１Ｄ、上階建物ユニット２Ｄ）。
【００３９】
更に、図１２（ａ）に示すように、オーバーハング幅が異なるように大きさの異なる下階建物ユニット１Ａ，１Ｂを隣接配置しても良い。図１２（ｂ）に示すように、短辺方向および長辺方向の両方のオーバーハングするように大きさの異なる下階建物ユニット１Ａ，１Ｂを隣接配置しても良い。図１２（ｃ）に示すように、上階建物ユニット２Ａ，２Ｂのオーバーハング部５に対し、更に、上階ユニット２Ｇ，２Ｈを連結することにより、オーバーハングを拡張して、玄関、車庫、外階段スペースを設けるようにしても良い。図１２（ｄ）（ｅ）に示すように、上階建物ユニット２Ｂをオーバーハングバルコニー２２としても、オーバーハング踊り場２３としても良い。
【００４０】
【発明の実施の形態２】
図１３は、この発明の実施の形態２を示すものである。なお、実施の形態１と同一ないし均等な部分については、同一の符号を付して説明する。
【００４１】
この実施の形態２のものでは、上階建物ユニット２Ａ，２Ｂの隣接する下梁８間にて延出梁６が挟持されるようにしたものである。
【００４２】
このように、上階建物ユニット２Ａ，２Ｂの隣接する下梁８間にて延出梁６が挟持される構造としたことにより、隣接する上階建物ユニット２Ａ，２Ｂの下面を一体化し、その面剛性を上げることができる。これにより、振動特性や重量床衝撃音特性を向上することができる。
【００４３】
なお、特に図示しないが、下階建物ユニット１Ａ，１Ｂの隣接する上梁７間にて延出梁６が挟持されるようにしても良い。
【００４４】
このように下階建物ユニット１Ａ，１Ｂの隣接する上梁７間にて延出梁６が挟持される構造とすることにより、隣接する下階建物ユニット１Ａ，１Ｂの上面を一体化し、その面剛性を上げることができる。これにより、振動特性や重量床衝撃音特性を向上することができる。
【００４５】
上記以外の部分については、上記実施の形態と同様の構成を備えており、同様の作用・効果を得ることができる。
【００４６】
【発明の実施の形態３】
図１４、図１５は、この発明の実施の形態３を示すものである。なお、実施の形態１，２と同一ないし均等な部分については、同一の符号を付して説明する。
【００４７】
この実施の形態３のものでは、延出梁６の延出部６ａが、上階建物ユニット２Ａ，２Ｂのオーバーハング部５の相隣接する底面を同時に支持し得るよう、ほぼ水平面状に構成されている。
【００４８】
なお、延出梁６の根本部６ｂは、下階建物ユニット１Ａ，１Ｂの隣接する上梁７間、および、上階建物ユニット２Ａ，２Ｂの隣接する下梁８間にて、同時に挟持されるようになっている。
【００４９】
なお、図１４は２ユニット隣接の場合、図１５は３ユニット隣接の場合を、それぞれ示している。
【００５０】
上記以外の部分については、上記各実施の形態と同様の構成を備えており、同様の作用・効果を得ることができる。
【００５１】
【発明の効果】
以上説明してきたように、請求項１の発明によれば、下階建物ユニットの隣接する上縁部間、および、上階建物ユニットの隣接する下縁部間の少なくとも一方から外方へ延出する延出梁の延出部によって上階建物ユニットのオーバーハング部を支持することにより、隣接するオーバーハング部間を一体的に支持することができる。これにより、ユニット建物に水平力が作用した際に、隣接するオーバーハング部の先端部分の間にズレ変位が生じるのを防止することができる。
【００５２】
また、延出梁が、下階建物ユニットの隣接する上梁間、および、上階建物ユニットの隣接する下梁間にて挟持される構造としたことにより、隣接する下階建物ユニットの上面および隣接する上階建物ユニットの下面を一体化し、それぞれの面剛性を上げることができる。これにより、振動特性や重量床衝撃音特性を向上することができる。
【００５４】
更に、下階建物ユニットの隣接しない側の上縁部から突設された延出梁とほぼ平行な片持梁によって、延出梁による上階建物ユニットのオーバーハング部に対する支持を補助することができる。
【００５５】
そして、複数の延出梁の外方端間、または、延出梁と片持梁の外方端間に渡し梁を架設することにより、各オーバーハング部からの垂直荷重を渡し梁を介して延出梁および片持梁へ有効に伝達することができる。更に、前記延出梁の根本部が垂直面状に構成されているのに対して、延出梁の延出部が水平面状に構成されることにより、垂直面状の根本部が、下階建物ユニットの隣接する上梁間および上階建物ユニットの隣接する下梁間にて同時に挟持させることができると共に、水平面状の延出部により、上階建物ユニットのオーバーハング部の相隣接する底面を同時に支持することができる、という実用上有益な効果を発揮し得る。
【図面の簡単な説明】
【図１】本発明の実施の形態１の全体斜視図である。
【図２】図１の下階建物ユニットの上面部分の平面図である。
【図３】図２の延出梁部分の側面図である。
【図４】（ａ）は図３のＡ−Ａ断面図、（ｂ）は図３のＢ−Ｂ断面図である。
【図５】（ａ）（ｂ）は延出梁の長さについての説明図である。
【図６】（ａ）〜（ｃ）は延出梁の形状についての説明図である。
【図７】（ａ）（ｂ）は延出梁の高さ寸法およびフランジについての図４と同様の説明図である。
【図８】（ａ）（ｂ）は延出梁の高さ寸法およびフランジについての図４と同様の図７とは異なる説明図である。
【図９】（ａ）〜（ｃ）は片持梁の取付部材の取付方の説明図である。
【図１０】（ａ）（ｂ）は建物ユニットの隣接状態の説明図である。
【図１１】（ａ）〜（ｃ）は建物ユニットの隣接数についての説明図である。
【図１２】（ａ）〜（ｅ）は建物ユニットのバリエーションの説明図である。
【図１３】（ａ）（ｂ）は本発明の実施の形態２にかかる図４と同様の図である。
【図１４】本発明の実施の形態３にかかる２ユニット隣接の場合の分解斜視図である。
【図１５】本発明の実施の形態３にかかる３ユニット隣接の場合の分解斜視図である。
【符号の説明】
１    下階建物ユニット
２    上階建物ユニット
４    ユニット建物
５    オーバーハング部
６    延出梁
６ａ  延出部
７    上梁
８    下梁
１０  片持梁
１１  渡し梁
ｈ    高さ寸法
【図１】
0003774387.tif 000002
【図２】
0003774387.tif 000003
【図３】
0003774387.tif 000004
【図４】
0003774387.tif 000005
【図５】
0003774387.tif 000006
【図６】
0003774387.tif 000007
【図７】
0003774387.tif 000008
【図８】
0003774387.tif 000009
【図９】
0003774387.tif 000010
【図１０】
0003774387.tif 000011
【図１１】
0003774387.tif 000012
【図１２】
0003774387.tif 000013
【図１３】
0003774387.tif 000014
【図１４】
0003774387.tif 000015
【図１５】
0003774387.tif 000016